(57)【要約】【課題】嵌合操作力を軽減させるとともに半田付け部分にかかる応力を軽減させる。【解決手段】本発明は、フード部３４の外周下面が半田付けによりプリント基板Ｐの上面に固定されてなる第２コネクタ３０に対して嵌合可能な第１コネクタ１０であって、嵌合に伴ってフード部３４の内部に嵌合する第１ハウジング１１と、第１ハウジング１１に対して初期位置と嵌合位置との間を移動可能とされ、初期位置にて第１ハウジング１１がフード部３４に内嵌した後に、嵌合位置へ押し込まれてフード部３４に外嵌し、嵌合位置ではフード部３４の外周上面とプリント基板Ｐの下面とに接触するスライダ５０とを備える構成としたところに特徴を有する。【選択図】図３
2010113911.tif 000002
【特許請求の範囲】
【請求項１】
フード部の外周下面が半田付けにより基板の上面に固定されてなる基板用コネクタに対して嵌合可能なコネクタであって、
前記嵌合に伴って前記フード部の内部に嵌合するハウジングと、
前記ハウジングに対して初期位置と嵌合位置との間を移動可能とされ、前記初期位置にて前記ハウジングが前記フード部に内嵌した後に、前記嵌合位置へ押し込まれて前記フード部に外嵌し、前記嵌合位置では前記フード部の外周上面と前記基板の下面とに接触するスライダとを備えるコネクタ。
【請求項２】
前記スライダにおいて前記基板の下面と接触する面から上方に突出して設けられ、前記嵌合位置にあるときに前記基板の下面に設けられた凹部に対して前記スライダの移動方向に係止する係止突部を備える請求項１に記載のコネクタ。
【請求項３】
前記スライダは、前記嵌合位置では前記フード部の外周両側面に接触し、前記係止突部は、前記凹部に対して前記スライダと前記フード部の外周両側面との接触方向に係止する請求項２に記載のコネクタ。
【請求項４】
前記ハウジングの嵌合方向と前記スライダの移動方向とは、同じである請求項１ないし請求項３のいずれか一項に記載のコネクタ。
【請求項５】
前記スライダには、少なくとも前記嵌合位置にて前記基板の端部を収容する切欠部が設けられている請求項１ないし請求項４のいずれか一項に記載のコネクタ。
【請求項６】
前記切欠部は、前記初期位置にて前記基板の端部を収容する請求項５に記載のコネクタ。
【請求項７】
前記スライダは、前記ハウジングに対して前記スライダの移動方向に係止する保持突起を備えている請求項１ないし請求項６のいずれか一項に記載のコネクタ。
【発明の詳細な説明】
【技術分野】
【０００１】
本発明は、半田付けにより基板の上面に固定される基板用コネクタと嵌合可能なコネクタに関する。
【背景技術】
【０００２】
従来より、基板用コネクタとして、フード部の左右両側面に一対の固定金具が装着されたものが知られている。この基板用コネクタは、固定金具を基板に対して半田付けすることによって基板の上面に固定されている。一方、基板用コネクタのフード部の内部に嵌合可能なコネクタは、一般にハウジングの後方に電線が引き出されている。このコネクタがフード部の内部に嵌合した状態で電線が上下に振られると、フード部が上方に移動しようとし、半田付け部分に応力が集中してしまう。そこで、下記特許文献１に記載のコネクタでは、嵌合に伴って基板の下面に係止する規制部を設けており、この規制部が応力を受けることで半田付け部分にかかる応力を軽減している。
【特許文献１】特開２００５−３１７３５７公報
【発明の開示】
【発明が解決しようとする課題】
【０００３】
しかしながら、上記のコネクタは、基板用コネクタとの嵌合に伴って規制部が基板の下面に係止する構成であるため、操作力が大きくなってしまう。つまり、１アクションでコネクタ同士の嵌合と規制部の係止とを完了させる必要があるため、嵌合操作力が大きくなる。また、電線が上下に振られた場合には、規制部によって半田付け部分にかかる応力を軽減できるものの、例えば電線が左右に振られた場合には、半田付け部分にかかる応力を軽減できない。
【０００４】
本発明は上記のような事情に基づいて完成されたものであって、嵌合操作力を軽減させるとともに半田付け部分にかかる応力を軽減させることを目的とする。
【課題を解決するための手段】
【０００５】
本発明は、フード部の外周下面が半田付けにより基板の上面に固定されてなる基板用コネクタに対して嵌合可能なコネクタであって、嵌合に伴ってフード部の内部に嵌合するハウジングと、ハウジングに対して初期位置と嵌合位置との間を移動可能とされ、初期位置にてハウジングがフード部に内嵌した後に、嵌合位置へ押し込まれてフード部に外嵌し、嵌合位置ではフード部の外周上面と基板の下面とに接触するスライダとを備える構成としたところに特徴を有する。
【０００６】
このような構成によると、スライダを初期位置にセットした状態でフード部の内部にハウジングを嵌合させた後、スライダを初期位置から嵌合位置へ押し込むことができる。すなわち、両コネクタの嵌合とスライダの押し込みを２アクションに分けて行うことができるので、嵌合操作力を軽減できる。
【０００７】
また、ハウジングから引き出された電線が上下に振られた場合にハウジングが上方に移動しようとし、フード部を介してスライダが上方に移動しようとする。しかしながら、スライダが基板の下面に接触しているため、スライダの上方への移動が規制され、フード部の上方への移動が規制される。したがって、半田付け部分にかかる応力を軽減できる。
【０００８】
本発明の実施の態様として、以下の構成が好ましい。
スライダにおいて基板の下面と接触する面から上方に突出して設けられ、嵌合位置にあるときに基板の下面に設けられた凹部に対してスライダの移動方向に係止する係止突部を備える構成としてもよい。
このような構成によると、係止突部が凹部に係止することによって嵌合位置にあるスライダが初期位置へ移動することが規制される。したがって、スライダを嵌合位置に保持することができ、半田付け部分にかかる応力を軽減できる。
【０００９】
スライダは、嵌合位置ではフード部の外周両側面に接触し、係止突部は、凹部に対してスライダとフード部の外周両側面との接触方向に係止する構成としてもよい。
このような構成によると、電線が左右に振られた場合にハウジングが基板に対して相対的に左右方向に移動しようとし、フード部を介してスライダが基板に対して相対的に左右方向に移動しようとする。しかしながら、係止突部が基板の凹部に対して左右方向（スライダとフード部の外周両側面との接触方向）に係止しているため、スライダが基板に対して相対的に左右方向に移動することが規制され、フード部が基板に対して相対的に左右方向に移動することが規制される。したがって、半田付け部分にかかる応力を軽減できる。
【００１０】
ハウジングの嵌合方向とスライダの移動方向とは、同じである構成としてもよい。
このような構成によると、ハウジングをフード部の内部に嵌合させた後、続けてスライダを移動しやすくなる。
【００１１】
スライダには、少なくとも嵌合位置にて基板の端部を収容する切欠部が設けられている構成としてもよい。
このような構成によると、基板の端部とスライダとの干渉を回避するために、基板側に切欠部などを設けなくてもよい。
【００１２】
切欠部は、初期位置にて基板の端部を収容する構成としてもよい。
このような構成によると、スライダの移動に伴って基板の端部とスライダとが干渉することを回避できる。
【００１３】
スライダは、ハウジングに対してスライダの移動方向に係止する保持突起を備えている構成としてもよい。
このような構成によると、保持突起によってスライダを初期位置に保持することができる。したがって、両コネクタの嵌合時にスライダを手で初期位置に保持しておく必要がない。
【発明の効果】
【００１４】
本発明によれば、嵌合操作力を軽減させることができ、半田付け部分にかかる応力を軽減させることができる。
【発明を実施するための最良の形態】
【００１５】
＜実施形態１＞
本発明の実施形態１を図１ないし図１２の図面を参照しながら説明する。本実施形態における第１コネクタ（本願発明の「コネクタ」に相当する。）１０は、図１ないし図３に示すように、第２コネクタ３０と嵌合可能である。一方、第２コネクタ（本願発明の「基板用コネクタ」に相当する。）３０は、半田付けによってプリント基板Ｐの上面に固定されている。また、第２コネクタ３０は、ケース（図示しない）内に収容されており、ケース外の第１コネクタ１０と嵌合可能とされている。なお、以下の説明においては第１コネクタ１０と第２コネクタ３０との嵌合方向を前後方向とし、互いの嵌合面側を前側とする。
【００１６】
第２コネクタ３０は、合成樹脂製の第２ハウジング３１を有している。第２ハウジング３１は、端子３２、端子３２を保持する端子保持部３３、略方形の角筒状をなして端子３２を包囲するフード部３４などを備えて構成されている。また、第２ハウジング３１の左右方向両側には、図１０に示すように、一対の装着溝３５が凹設されている。両装着溝３５には、それぞれ基板固定部３６が抜け止め状態で保持されている。基板固定部３６がプリント基板Ｐ上に形成された固定ランド（図示せず）に半田付けされることによって、第２コネクタ３０がプリント基板Ｐの上面に固定されている。
【００１７】
端子保持部３３は、図９に示すように、左右方向に長い横長のブロック状をなしている。端子保持部３３には、上下２段で左右方向に並んで配置された複数の端子３２が保持されている。これらの端子３２のうち左右方向中央には、小端子３２Ａが配置され、左右方向両側には、小端子３２Ａよりも大きめの大端子３２Ｂが配置されている。具体的には、上段側に４個の大端子３２Ｂと３個の小端子３２Ａとが配置され、下段側に４個の大端子３２Ｂと９個の小端子３２Ａとが配置されている。
【００１８】
下段側中央に配置された４個の小端子３２Ａおよび下段側右端に配置された１個の小端子３２Ａと対応する上段側には、小端子３２Ａが配置されていない。下段側中央の小端子３２Ａと対応する上段側には、両コネクタ１０，３０の嵌合時に第１コネクタ１０に設けられたロックアーム２０が進入する進入空間が形成されている。この進入空間には、ロックアーム２０と係止して両コネクタ１０，３０を正規嵌合状態に保持するロック部３９が設けられている。
【００１９】
また、下段側右端の小端子３２Ａと対応する上段側には、両コネクタ１０，３０が上下反転した姿勢で誤って組み付けられることを防ぐ誤組防止用リブ３８が設けられている。また、ロック部３９の左右両側には、両コネクタ１０，３０の嵌合時の案内を行う一対のガイドリブ４０が前後方向に沿って設けられている。
【００２０】
端子３２は、端子保持部３３を前後方向に貫通した状態で保持されている。つまり、端子保持部３３には、端子３２を圧入するための圧入孔（図示せず）が前後方向に貫通して形成されており、この圧入孔に対して端子３２を圧入することによって端子３２が端子保持部３３に保持される。端子３２の前端側は、端子保持部３３から前方に突出する形態をなしている。端子３２の前端は、フード部３４の前縁よりも後方に位置している。一方、端子３２の後端側は、図１０に示すように、端子保持部３３から後方に延びた後、プリント基板Ｐの上面に向けて下方に屈曲され、さらにプリント基板Ｐの上面で再び後方に屈曲された後、プリント基板Ｐの上面に沿って後方に延びる形態をなしている。つまり、端子３２のうちプリント基板Ｐの上面に沿って後方に延びる部分がプリント基板Ｐの上面に設けられた接続ランド（図示せず）に半田付けされることによって、端子３２の後端側と接続ランドとが導通可能に接続される。なお、端子３２の後端側は、第２ハウジング３１の後部に設けられた一対の保護壁３７によって左右方向両側から覆われた状態で保護されている。
【００２１】
フード部３４は、図９に示すように、端子保持部３３の外周縁部から前方に延びる形態をなしている。具体的には、フード部３４は、プリント基板Ｐの上面に接触する底壁３４Ａと、底壁３４Ａの左右方向両側縁から上方に立ち上がる一対の側壁３４Ｂと、両側壁３４Ｂの上縁同士を連結する天井壁３４Ｃとから構成されている。なお、前記したロック部３９とガイドリブ４０は、ともに天井壁３４Ｃの内面における左右方向中央に設けられている。また、前記した保護壁３７は、図１０に示すように、側壁３４Ｂの後方に突出して設けられている。
【００２２】
装着溝３５は、図１０に示すように、側壁３４Ｂを上下方向に貫通して形成されている。一方、基板固定部３６は、金属板を所定形状に打ち抜くとともに曲げ加工などを施すことで成形されている。基板固定部３６は、上下方向に沿う略平板状をなす本体部３６Ａと、本体部３６Ａの下端から左右方向に沿って側方に突出する半田付け部３６Ｂとから構成されている。このため、基板固定部３６は、全体として、前後方向から見て略Ｌ字形に形成されている。このうち半田付け部３６Ｂが、プリント基板Ｐの固定ランドに載せられた状態で半田付けされるようになっている。
【００２３】
装着溝３５は、詳細には、基板固定部３６の本体部３６Ａがその板面方向に沿って挿入される本体部収容部３５Ａと、半田付け部３６Ｂがその板面方向と直交する方向に沿って挿入される半田付け部収容部３５Ｂとから構成されている。半田付け部収容部３５Ｂは、側壁３４Ｂの外面に向けて側方に開口している。このように装着溝３５は、側壁３４Ｂの板厚内に設けられている。さらに、装着溝３５の内部に保持された基板固定部３６も、側壁３４Ｂの板厚内に配置されている。
【００２４】
基板固定部３６の下部には、図１ないし図３に示すように、下方に向けて開口するスリット３６Ｃが形成されている。このスリット３６Ｃによって、本体部３６Ａの下部と半田付け部３６Ｂとが前後に２分割されている。つまり、基板固定部３６の下部には、スリット３６Ｃを挟んで前側脚部３６Ｆと後側脚部３６Ｒとが形成されている。このような構成によると、フード部３４の前縁がプリント基板Ｐの上面から離間する方向に力を受けたときに、まず、前側脚部３６Ｆが力を受けてプリント基板Ｐの上面から離間する方向に作用する。一方、後側脚部３６Ｒは、スリット３６Ｃが開き変形することによって半田付け部３６Ｂにかかる応力が軽減される。これとは逆に、フード部３４の後縁（端子保持部３３）がプリント基板Ｐの上面から離間する方向に力を受けたときには、前側脚部３６Ｆの半田付け部３６Ｂにかかる応力が軽減される。
【００２５】
第１コネクタ１０は、合成樹脂製の第１ハウジング１１を有している。第１ハウジング１１は、図７および図８に示すように、左右方向に長い横長扁平のブロック状をなしている。第１ハウジング１１は、フード部３４の内部に嵌合可能とされている。第１ハウジング１１には、複数のキャビティ１２が前後方向に貫通して形成されている。これらのキャビティ１２は、第２コネクタ３０の端子３２と対応して上下２段で左右方向に並んで配置されている。
【００２６】
第１ハウジング１１の上面における図７に示す図示左側には、両コネクタ１０，３０の嵌合時に誤組防止用リブ３８が進入する検知溝１３が前後方向に沿って凹設されている。また、第１ハウジング１１の上面における左右方向中央には、前記したロックアーム２０が前後方向に沿って形成されている。さらに、第１ハウジング１１の上面におけるロックアーム２０の左右方向両側には、両コネクタ１０，３０の嵌合時にガイドリブ４０が進入するガイド溝１４が前後方向に沿って凹設されている。
【００２７】
キャビティ１２の内部には、箱形端子（図示せず）が収容されている。箱形端子は、小端子３２Ａと接続される小箱形端子と、大端子３２Ｂと接続される大箱形端子とから構成されている。これに伴って、キャビティ１２も、小箱形端子を収容する小キャビティ１２Ａと、大箱形端子を収容する大キャビティ１２Ｂとから構成されている。箱形端子は、キャビティ１２の内部に形成されたランス１５によってキャビティ１２の内部で抜け止め状態に保持されている。箱形端子は、電線（図示せず）の端末に接続されており、この電線は、キャビティ１２の後方に引き出されている。
【００２８】
第１ハウジング１１の左右両側面には、図８に示すように、前後方向に延びる一対の案内突部１６が設けられている。案内突部１６は、第１ハウジング１１の後端部から前方に延びる形態をなしている。案内突部１６は、両コネクタ１０，３０の嵌合に伴ってフード部３４の側壁３４Ｂの内面に凹設されたガイド溝４１に進入する。したがって、両コネクタ１０，３０は、図６に示すように、両ガイドリブ４０が両ガイド溝１４に進入し、誤組防止用リブ３８が検知溝１３に進入し、両案内突部１６が両ガイド溝４１に進入することによって安定して正規嵌合状態に案内される。なお、図６においては、図面の簡略化のため、第１ハウジング１１の内部構造については図示を省略している。
【００２９】
スライダ５０は、図１１に示すように、略方形の枠状をなす枠状本体部５１と、枠状本体部５１の下面後部から片持ち状に前方に突出する受部５２とから構成されている。スライダ５０は、第１ハウジング１１に対して前後方向に移動可能に装着されている。枠状本体部５１と受部５２との間には、プリント基板Ｐの端部が収容される切欠部５６が形成されている。切欠部５６は、プリント基板Ｐの板厚とほぼ同じ寸法とされている。
【００３０】
枠状本体部５１は、略前半側に配置された大径部５３と、略後半側に配置された小径部５４とから構成されている。大径部５３は、左右方向に対向配置された一対の側壁５３Ａと、両側壁５３Ａの上縁同士を連結する天井壁５３Ｂとから構成されている。一方、小径部５４は、底壁５４Ａと、底壁５４Ａの左右方向両側縁から立ち上がる一対の側壁５４Ｂと、両側壁５４Ｂの上縁同士を連結する天井壁５４Ｃとから構成されている。なお、大径部５３の天井壁５３Ｂと小径部５４の天井壁５４Ｃとは上下面ともに面一をなして一体に形成されている。
【００３１】
小径部５４は、第１ハウジング１１の外周面に外嵌されている。具体的には、小径部５４は、第１ハウジング１１の外周上面および外周下面と両案内突部１６の両側面とに接触する。一方、大径部５３は、フード部３４の外周面に外嵌される。具体的には、大径部５３は、フード部３４の外周上面（天井壁３４Ｃの外面）および外周両側面（両側壁３４Ｂの外面）に接触する。これにより、スライダ５０は、図４に示す初期位置と、図５に示す嵌合位置との間を前後方向に移動可能とされている。
【００３２】
両案内突部１６の両側面には、一対の保持溝１６Ａが上下方向に切り欠かれている。一方、大径部５３の両側壁５３Ａの内面には、図１２に示すように、一対の保持突起５８が突出して形成されている。両保持突起５８は、図４に示すように、スライダ５０が初期位置にあるときに両保持溝１６Ａと嵌合する。これにより、スライダ５０は、初期位置に保持される。
【００３３】
大径部５３の内面と小径部５４の内面との間には、段差面５５が形成されている。この段差面５５は、図５に示すように、スライダ５０が嵌合位置にあるときにフード部３４の前縁と接触する。これにより、スライダ５０を初期位置から嵌合位置に移動したときに、スライダ５０の嵌合位置における位置決めが可能である。
【００３４】
受部５２の上面（切欠部５６を構成する下面）には、係止突部５７が上方に突出して設けられている。係止突部５７は、後方に向かうにつれて上方に傾斜する案内面５７Ａと、案内面５７Ａの後方に水平をなして連なる水平面５７Ｂと、水平面５７Ｂの後端から受部５２の上面に向けて垂直に下降する垂直面５７Ｃとを備えて構成されている。係止突部５７は、図１１に示すように、第２ハウジング３１の左右方向におけるほぼ全長に亘って横長に形成されている。
【００３５】
一方、プリント基板Ｐには、係止突部５７を収容可能な係止孔（本発明の「凹部」の一例）Ｈが板厚方向に貫通して形成されている。係止孔Ｈの内面のうちプリント基板Ｐの端部側の面は、上下方向に延びる前後係止面Ｈ１とされている。前後係止面Ｈ１は、スライダ５０が嵌合位置にあるときに係止突部５７の垂直面５７Ｃと前後方向、すなわちスライダ５０の移動方向に係止可能である。これにより、スライダ５０は、嵌合位置に保持され初期位置へ移動することが規制される。
【００３６】
係止孔Ｈの内面のうち左右方向両側の面は、上下方向に延びる左右係止面Ｈ２とされている。この左右係止面Ｈ２は、図６に示すように、係止突部５７の左右両側面５７Ｄと左右方向に係止可能である。これにより、スライダ５０は、嵌合位置にてプリント基板Ｐに対して左右方向へ相対的に移動することが規制される。
【００３７】
本実施形態は以上のような構成であって、続いてその作用を説明する。まず、図１に示すように、スライダ５０を初期位置にセットする。スライダ５０を初期位置にセットすると、図４に示すように、両保持突起５８が両保持溝１６Ａの内部に嵌合し前後方向に係止するため、スライダ５０が初期位置に保持される。
【００３８】
次に、両コネクタ１０，３０の嵌合を行う。第１ハウジング１１をフード部３４の内部に嵌合させていくと、図２に示すように、両コネクタ１０，３０が正規嵌合状態に至るとともに、ロックアーム２０がロック部３９に係止して両コネクタ１０，３０が正規嵌合状態に保持される。このとき、プリント基板Ｐの端部は、切欠部５６の内部に収容される。これにより、スライダ５０を初期位置から嵌合位置へ押し込む際に、プリント基板Ｐの端部と受部５２の前端とが干渉し合うことを回避できる。
【００３９】
また、両コネクタ１０，３０の正規嵌合状態では、図４に示すように、フード部３４の前縁部は、大径部５３の内部に浅く嵌合する。この浅い嵌合によって、大径部５３の両側壁５３Ａ（大径部５３の内周両側面）は、フード部３４の両側壁３４Ｂ（フード部３４の外周両側面）と接触する。これにより、スライダ５０を初期位置から嵌合位置に押し込む際に、大径部５３の両側壁５３Ａの前端とフード部３４の両側壁３４Ｂの前端とが干渉し合うことを回避できる。
【００４０】
次に、スライダ５０を初期位置から嵌合位置へ押し込む。すると、図２の状態から係止突部５７の案内面５７Ａがプリント基板Ｐの端部に摺接しつつ受部５２が下方に撓み変形し、プリント基板Ｐの下面に水平面５７Ｂが乗り上げた状態となって、さらにスライダ５０を押し込んでいくと、図３に示すように、受部５２が復帰するとともに係止突部５７が係止孔Ｈに嵌り込む。
【００４１】
これと併行して、図４に示す両保持突起５８は、両保持溝１６Ａの内面に乗り上げつつ小径部５４の両側壁５４Ｂが左右方向両側に撓み変形し、両保持溝１６Ａの前面を構成する両前方リブを乗り越え、両前方リブの前方に配設された両挿通溝１６Ｂの内部に入り込む。すると、小径部５４の両側壁５４Ｂが復帰し、さらにスライダ５０を押し込んでいくと段差面５５がフード部３４の両側壁３４Ｂの前縁に接触し、スライダ５０が嵌合位置に至る。スライダ５０が嵌合位置に至ると、大径部５３の内部にフード部３４の前縁部が深く嵌合する。
【００４２】
一方、プリント基板Ｐの端部は、図３に示すように、切欠部５６の内部に収容され、受部５２がプリント基板Ｐの下面に接触する。また、係止突部５７の垂直面５７Ｃが係止孔Ｈの前後係止面Ｈ１に対して前後方向に係止することにより、スライダ５０が嵌合位置に保持される。また、図６に示すように、係止突部５７の両側面５７Ｄが係止孔Ｈの左右両係止面Ｈ２に対して左右方向に係止することにより、スライダ５０がプリント基板Ｐに対して相対的に左右方向に移動することが規制される。
【００４３】
以上のように両コネクタ１０，３０の嵌合とスライダ５０の押し込みを２アクションに分けて行っているのは、嵌合操作力を軽減するためである。すなわち、両コネクタ１０，３０を嵌合させるには、端子３２と箱形端子が互いに接触する際の摩擦抵抗によって大きな嵌合力が必要となる上、スライダ５０の押し込み力が加わると、極めて大きな嵌合操作力が必要になる。その点、本実施形態では両コネクタ１０，３０の嵌合とスライダ５０の押し込みを別々に行っているから、嵌合操作力を軽減できる。
【００４４】
また、第１コネクタ１０の第２コネクタ３０に対する嵌合方向とスライダ５０の押し込み方向がともに前方であって、同じであるため、第１コネクタ１０を第２コネクタ３０に嵌合させた後、続けてスライダ５０を押し込みやすい。また、係止突部５７と係止孔Ｈとの係止によってスライダ５０を嵌合位置に保持できるため、スライダ５０が不意に初期位置へ移動することを規制できる。
【００４５】
さて、第１コネクタ１０の後方には複数の電線が束ねられた状態で引き出されており、この電線が上下左右に振られたり、後方に引っ張られたりする場合がある。電線が上下に振られた場合には、第１ハウジング１１が上方に力を受けて上方に移動しようとし、フード部３４を介してスライダ５０が上方に移動しようとする。このとき、受部５２がプリント基板Ｐの下面に接触することで、スライダ５０の上方への移動が規制されているため、フード部３４の上方への移動も規制される。したがって、半田付け部３６Ｂの半田付け部分にかかる応力を軽減できる。
【００４６】
また、電線が左右に振られた場合には、第１ハウジング１１が左右方向に力を受けてプリント基板Ｐに対して相対的に左右方向に移動しようとし、フード部３４を介してスライダ５０がプリント基板Ｐに対して相対的に左右方向に移動しようとする。このとき、前記したように、スライダ５０がプリント基板Ｐに対して相対的に左右方向に移動することが規制されているため、フード部３４もプリント基板Ｐに対して相対的に左右方向に移動することが規制される。したがって、半田付け部３６Ｂの半田付け部分にかかる応力を軽減できる。
【００４７】
また、電線が後方に引っ張られた場合には、第１ハウジング１１が後方に力を受けて後方に移動しようとし、ロックアーム２０とロック部３９との係止部分を介してフード部３４が後方に移動しようとする。フード部３４が後方に移動しようとすると、フード部３４の両側壁３４Ｂの前縁と段差面５５との接触部分を介してスライダ５０が後方へ移動しようとする。このとき、前記したように、係止突部５７の垂直面と係止孔Ｈの前後係止面Ｈ１との係止によってスライダ５０の後方への移動が規制されているため、フード部３４の後方への移動も規制される。したがって、半田付け部３６Ｂの半田付け部分にかかる応力を軽減できる。
【００４８】
以上のように本実施形態では両コネクタ１０，３０の嵌合とスライダ５０の移動を２アクションに分けて行うようにしたから、嵌合操作力を軽減できる。また、スライダ５０をプリント基板Ｐに対して上下方向、左右方向、および前後方向に相対的に移動しないように構成したから、フード部３４をプリント基板Ｐに対して上下方向、左右方向、および前後方向に移動しないようにすることができ、半田付け部３６Ｂの半田付け部分にかかる応力を軽減できる。
【００４９】
また、両コネクタ１０，３０の嵌合方向とスライダ５０の押し込み方向を同じにしたから、両コネクタ１０，３０を嵌合させた後、続けてスライダ５０を押し込むことができる。また、スライダ５０側に切欠部５６を設けたから、プリント基板Ｐ側に切欠部などを設けてなくてもよい。また、初期位置にてプリント基板Ｐの端部を切欠部５６に収容したから、スライダ５０の押し込みに伴うプリント基板Ｐの端部とスライダ５０との干渉を回避できる。また、両保持突起５８と両保持溝１６Ａとの嵌合によってスライダ５０を初期位置に保持できるようにしたから、両コネクタ１０，３０の嵌合時にスライダ５０を手で初期位置に保持しておく必要がない。
【００５０】
＜他の実施形態＞
本発明は上記記述及び図面によって説明した実施形態に限定されるものではなく、例えば次のような実施形態も本発明の技術的範囲に含まれる。
（１）本実施形態では受部５２に係止突部５７を設けているものの、本発明によると、枠状本体部５１に係止突部を設けてもよい。また、凹部として係止孔Ｈを例示しているものの、本発明によると、プリント基板Ｐの板厚方向に貫通しない有底の係止凹部としてもよい。
【００５１】
（２）本実施形態では係止突部５７の両側面５７Ｄが係止孔Ｈの左右係止面Ｈ２に係止するようにしているものの、本発明によると、例えばプリント基板Ｐの端部を切り欠いて切欠部を形成し、この切欠部に大径部５３の側壁５３Ａを進入させることにより、スライダ５０がプリント基板Ｐに対して相対的に左右方向に移動することを規制してもよい。
【００５２】
（３）本実施形態では両コネクタ１０，３０の嵌合方向とスライダ５０の押し込み方向をともに前方にしているものの、本発明によると、スライダ５０の押し込み方向を上下方向にしてもよい。
【００５３】
（４）本実施形態では初期位置にてプリント基板Ｐの端部を切欠部５６に収容しているものの、本発明によると、初期位置から嵌合位置に向かう途中でプリント基板Ｐの端部を切欠部５６に収容してもよい。
【００５４】
（５）本実施形態では保持突起５８が保持溝１６Ａの内部に嵌合して前後方向に係止しているものの、本発明によると、プリント基板Ｐの端部に接触することによって前後方向に係止する保持突起を設けてもよい。
【図面の簡単な説明】
【００５５】
【図１】スライダを初期位置にセットして、第１コネクタを第２コネクタに嵌合させる前の状態を示した側面図
【図２】スライダを初期位置にセットして、第１コネクタを第２コネクタに嵌合させた後の状態を示した側面図
【図３】両コネクタを嵌合させた後、スライダを初期位置から嵌合位置に移動させた状態を示した側面図
【図４】スライダを初期位置にセットして、第１コネクタを第２コネクタに嵌合させた後の状態を示した一部切り欠き平面図
【図５】両コネクタを嵌合させた後、スライダを初期位置から嵌合位置に移動させた状態を示した一部切り欠き平面図
【図６】両コネクタの嵌合状態を前後方向から見た状態を簡易的に示した断面図
【図７】第１コネクタの正面図
【図８】第１コネクタの側面図
【図９】第２コネクタの正面図
【図１０】第２コネクタの平面図
【図１１】スライダの正面図
【図１２】図１１におけるＡ−Ａ線断面図
【符号の説明】
【００５６】
１０…第１コネクタ（コネクタ）
１１…第１ハウジング（ハウジング）
３０…第２コネクタ（基板用コネクタ）
３４…フード部
５０…スライダ
５６…切欠部
５７…係止突部
５８…保持突起
Ｐ…プリント基板
Ｈ…係止孔（凹部）
【図１】
2010113911.tif 000003
【図２】
2010113911.tif 000004
【図３】
2010113911.tif 000005
【図４】
2010113911.tif 000006
【図５】
2010113911.tif 000007
【図６】
2010113911.tif 000008
【図７】
2010113911.tif 000009
【図８】
2010113911.tif 000010
【図９】
2010113911.tif 000011
【図１０】
2010113911.tif 000012
【図１１】
2010113911.tif 000013
【図１２】
2010113911.tif 000014